(57)【要約】  本発明はインターフェースを備えた装置を提供し、物理インターフェースに発光部が設けられた装置により、暗い環境下で、装置における物理インターフェースの位置を正確に見つけにくいとの問題を解決し、ユーザが物理インターフェースの位置と方向を簡便かつ素早く視認することができ、ユーザ体験を向上させる。
2017503374.tif 000002
【特許請求の範囲】
【請求項１】
ケースと、前記ケースに嵌め込まれた物理インターフェースと、を含む装置であって、
前記物理インターフェースの付近に設けられる発光部をさらに含む、インターフェースを備えた装置。
【請求項２】
前記発光部は、１つまたは複数の発光ダイオードを含む、請求項１に記載の装置。
【請求項３】
前記ケースにおける前記物理インターフェースを囲む部分が、光透過性材質から形成される、請求項１に記載の装置。
【請求項４】
前記発光部にカップリングされ、前記発光部の点灯／消灯を制御するように構成される制御部をさらに含む、請求項１に記載の装置。
【請求項５】
前記制御部は、
前記発光部にカップリングされ、前記発光部の発光を駆動するように構成される駆動回路と、
前記駆動回路にカップリングされ、受信した情報に基づいて、前記駆動回路に前記発光部の発光を駆動するように指示するための駆動信号を前記駆動回路へ送信するように構成されるプロセッサーと、を含む、請求項４に記載の装置。
【請求項６】
前記制御部は、前記プロセッサーにカップリングされ、前記物理インターフェースの置かれる環境下での光線強度を検出して前記プロセッサーに送信するように構成される光センサ、をさらに含み、
前記プロセッサーは、受信した前記光線強度に基づいて、前記駆動信号を前記駆動回路へ送信するか否かを決定する、請求項５に記載の装置。
【請求項７】
前記プロセッサーにカップリング接続され、備えられている１つまたは複数のボタンによるユーザの入力を受信して前記プロセッサーに送信するように構成されるボタンユニット、をさらに含み、
前記プロセッサーは、受信した前記入力に基づいて、前記駆動信号を前記駆動回路へ送信するか否かを決定する、請求項５に記載の装置。
【請求項８】
前記光透過性材質と前記ケースとが一体成形された構造である、請求項３に記載の装置。
【請求項９】
前記装置が、モバイル端末である、請求項１乃至８の何れか１項に記載の装置。
【請求項１０】
前記物理インターフェースは、その両側それぞれに少なくとも２つずつ設けられたそれぞれ両側に延びるピンにより、前記モバイル端末の印刷回路板上に接続され、
前記物理インターフェースの厚みが前記印刷回路板と前記発光部との厚みの総和以上であり、
前記物理インターフェースの両側それぞれにおける少なくとも２つのピンの間には、それぞれ前記発光部が設けられている、請求項９に記載の装置。
【発明の詳細な説明】
【技術分野】
【０００１】
本発明は通信分野に関し、具体的には、インターフェースを備えた装置に関する。
【背景技術】
【０００２】
携帯電話が現在、人々の日常生活に非常に普及しており、その最も重要なインターフェースであるユニバーサルシリアルバス（Universal Serial Bus、単にＵＳＢという）インターフェースは、いかなる携帯電話においても最も基本的な装置である。携帯電話が大きく、薄く、軽く設計される傾向にある中、従来のＵＳＢインターフェースが淘汰されるに決まっており、その代わりにより小型で精密なミニＵＳＢ（Ｍｉｎｉ―ＵＳＢ）やマイクロＵＳＢ（Ｍｉｃｒｏ―ＵＳＢ）が使用されるが、Ｍｉｃｒｏ―ＵＳＢは、現在の市場で最も一般的なＵＳＢインターフェースになっている。
【０００３】
無線充電がまだ広く普及していないため、携帯電話は、ほとんどＵＳＢインターフェースによる充電しかサポートできない。発明者が研究にあたり、平たくて狭いＭｉｃｒｏ―ＵＳＢ充電器である場合、ユーザが光線不足で暗い場所で、充電器を携帯電話のＵＳＢメスポートに正確に挿し込むことが非常に困難であることに気づき、ＵＳＢインターフェースの正逆方向を見分けて、オス／メスポートの方向を一致させなければならないことがその理由の１つである一方、携帯電話におけるメスポートの位置を正確に見つけにくいことがもう１つの理由である。携帯電話の画面から光線が発しているが、光線の方向がＵＳＢインターフェースの方向に垂直になっており、この光線に妨害されて、ＵＳＢインターフェースのある側面が光線の届かない領域になる。
【０００４】
この場合、ユーザが両手を使ってその位置を手探りで探さなければならず、位置を見つけた後、ＵＳＢインターフェースの方向が逆であれば、もう一度探すか、他の光源に頼ってその位置を正確に見つけて充電を完成する必要があり、とても不便である。
【０００５】
関連技術において、暗い環境下で、装置におけるＵＳＢインターフェースの位置を正確に見つけにくいとの問題について、未だに有効な対応策が提示されていない。
【発明の概要】
【発明が解決しようとする課題】
【０００６】
暗い環境下で、装置における物理インターフェースの位置を正確に見つけにくいとの問題に対して、本発明は、少なくとも上記問題を解決できるインターフェースを備えた装置を提供する。
【課題を解決するための手段】
【０００７】
本発明の実施例の一態様によれば、ケースと、前記ケースに嵌め込まれた物理インターフェースとを含む装置であって、前記物理インターフェースの付近に設けられる発光部をさらに含むインターフェースを備えた装置が提供される。
【０００８】
前記発光部は、１つまたは複数の発光ダイオード（Light Emitting Diode、単にＬＥＤという）を含むことが好ましい。
【０００９】
前記ケースにおける前記物理インターフェースを囲む部分が、光透過性材質から形成されることが好ましい。
【００１０】
前記装置は、前記発光部にカップリングされ、前記発光部の点灯／消灯を制御するように構成される制御部をさらに含むことが好ましい。
【００１１】
前記制御部は、前記発光部にカップリングされ、前記発光部の発光を駆動するように構成される駆動回路と、前記駆動回路にカップリングされ、受信した情報に基づいて、前記駆動回路に前記発光部の発光を駆動するように指示するための駆動信号を前記駆動回路へ送信するように構成されるプロセッサーと、を含むことが好ましい。
【００１２】
前記制御部は、前記プロセッサーにカップリングされ、前記物理インターフェースの置かれる環境下での光線強度を検出して前記プロセッサーに送信するように構成される光センサをさらに含み、前記プロセッサーは、受信した前記光線強度に基づいて、前記駆動信号を前記駆動回路へ送信するか否かを決定することが好ましい。
【００１３】
前記装置は、前記プロセッサーにカップリング接続され、備えられている１つまたは複数のボタンによるユーザの入力を受信して前記プロセッサーに送信するように構成されるボタンユニット、をさらに含み、前記プロセッサーは、受信した前記入力に基づいて、前記駆動信号を前記駆動回路へ送信するか否かを決定することが好ましい。
【００１４】
前記光透過性材質と前記ケースとが一体成形された構造であることが好ましい。
【００１５】
前記装置は、モバイル端末であることが好ましい。
【００１６】
前記物理インターフェースは、その両側それぞれに少なくとも２つずつ設けられたそれぞれ両側に延びるピンにより、前記モバイル端末の印刷回路板（Printed Circuit Board、単にＰＣＢともいう）上に接続され、前記物理インターフェースの厚みが前記ＰＣＢ板と前記発光部との厚みの総和以上であり、前記物理インターフェースの両側それぞれにおける少なくとも２つのピンの間には、それぞれ前記発光部が設けられていることが好ましい。
【発明の効果】
【００１７】
本発明の実施例によれば、物理インターフェースに発光部が設けられた装置により、暗い環境下で、装置における物理インターフェースの位置を正確に見つけにくいとの問題を解決し、ユーザが物理インターフェースの位置と方向を簡便かつ素早く視認することができ、ユーザ体験を向上させる。
【図面の簡単な説明】
【００１８】
ここで説明した図面は、本発明をさらに理解させるためのものであり、本願の一部を構成し、また、本発明における模式的実施例およびその説明は本発明を説明するものであり、本発明を不当に限定するものではない。図面において、
【図１】本発明の実施例によるインターフェースを備えた装置の構造を示す図である。
【図２】本発明の実施例によるインターフェースを備えた装置の好適な構造を示す図の１である。
【図３】本発明の実施例によるインターフェースを備えた装置の好適な構造を示す図の２である。
【図４】本発明の実施例によるインターフェースを備えた装置の好適な構造を示す図の３である。
【図５】本発明の実施例によるインターフェースを備えた装置の好適な構造を示す図の４である。
【図６】本発明の実施例によるインターフェースを備えた装置の好適な構造を示す図の５である。
【図７】本発明の実施例によるインターフェースを備えた装置の好適な構造を示す図の６である。
【図８】本発明の好適な実施例によるスイッチ制御モジュールの構造を示す図である。
【図９】本発明の好適な実施例によるＵＳＢインターフェースを囲む透明材質付きの携帯電話ケースの構造を示す図である。
【図１０】本発明の好適な実施例によるＬＥＤ発光ダイオードとＵＳＢインターフェースとの位置関係を示す図である。
【発明を実施するための形態】
【００１９】
以下、図面を参照しつつ実施例を結合して本発明を詳しく説明する。なお、衝突しない限り、本願の実施例および実施例中の構成要件を組み合わせることができる。
【００２０】
本実施例においてインターフェースを備えた装置が提供され、図１は、本発明の実施例によるインターフェースを備えた装置の構造を示す図であり、図１に示すように、前記装置は、ケース１２と、ケースに嵌め込まれた物理インターフェース１４とを含み、前記装置は、物理インターフェース１４付近に設けられる発光部１６をさらに含む。
【００２１】
上記装置により、暗い環境に置かれる場合、前記装置における発光部１６が発光することになり、これにより、光線条件が暗い状況下で、ユーザが発光部１６からの光線に案内されて、物理インターフェース１４の位置を簡便かつ素早く見つけることができ、従来の関連技術において、暗い状況下で、物理インターフェースの位置を正確に見つけにくいとの問題を解決し、ユーザの操作体験効果を向上させる。
【００２２】
上記装置における発光部は、実状に応じて、１つまたは複数のＬＥＤを含んでもよいことが好ましく、例えば、本実施例における装置がモバイル端末であり、現在、モバイル端末が大きくて薄く設計される傾向にあり、モバイル端末自体における空間を十分に活かすためであれば、発光部にＬＥＤを１つのみ設けることができる。装置が長い間暗い光線条件に置かれる場合、光線条件が暗い状況下でのユーザのニーズに応えるために、ＬＥＤをいくつか設けることもできる。
【００２３】
図２は、本発明の実施例によるインターフェースを備えた装置の好適な構造を示す図の１であり、図２に示すように、前記装置のケースにおける、物理インターフェースを囲む部分が光透過性材質２２から形成され、これにより、発光部１６の発光時、一部の光線が光透過性材質２２を透過して外へ射出することができ、ユーザが物理インターフェースの位置をより素早く見つけることができる。
【００２４】
図３は、本発明の実施例によるインターフェースを備えた装置の好適な構造を示す図の２であり、図３に示すように、上記装置は、発光部１６にカップリングされ、発光部の点灯／消灯を制御するように構成される制御部３２をさらに含む。
【００２５】
図４は、本発明の実施例によるインターフェースを備えた装置の好適な構造を示す図の３であり、図４に示すように、前記制御部３２は、発光部１６にカップリングされる駆動回路４２と、駆動回路４２にカップリングされ、情報を受信したり指令を発したりするように構成されるプロセッサー４４と、を含み、プロセッサー４４は受信した情報内容に基づいて駆動回路４２へ指令を発し、駆動回路４２がプロセッサー４４からの指令を受信した後、駆動回路４２に発光部１６の発光を駆動するように指示するための駆動信号を送信する。
【００２６】
図５は、本発明の実施例によるインターフェースを備えた装置の好適な構造を示す図の４であり、図５に示すように、前記制御部３２は、プロセッサー４４にカップリングされ、物理インターフェース１４の置かれる環境下での光線強度を検出してプロセッサー４４に送信するように構成される光センサ５２をさらに含み、プロセッサー４４は、受信した前記光線強度に基づいて、前記駆動信号を駆動回路４２へ送信するか否かを決定する。
【００２７】
好ましくは、光センサ５２は装置の置かれる環境下での光線強度を検出し、検出した光線強度をプロセッサー４４に送信し、プロセッサー４４は受信した光線強度が予め設定された閾値範囲内にあるか否かを判定し、前記光線強度が予め設定された閾値の最小値よりも小さい場合、プロセッサー４４は、駆動回路４２へ指令を発し、駆動回路４２がプロセッサー４４からの指令を受信した後、駆動回路４２に発光部１６の発光を駆動するように指示するための駆動信号を送信し、前記光線強度が予め設定された閾値の最大値よりも大きい場合、プロセッサー４４による指令送信や発光部１６による発光はない。
【００２８】
図６は、本発明の実施例によるインターフェースを備えた装置の好適な構造を示す図の５であり、図６に示すように、上記制御部３２は、プロセッサー４４にカップリング接続され、備えられている１つまたは複数のボタンによるユーザの入力を受信して前記プロセッサー４４に送信するように構成されるボタンユニット６２をさらに含み、プロセッサー４４は、受信したボタンによる入力に基づいて、前記駆動信号を駆動回路４２へ送信するか否かを決定する。
【００２９】
上記実施例において、光透過性材質２２とケース１２とが一体成形された構造となることが好ましい。
【００３０】
上記実施例において、物理インターフェース１４は、モバイル端末に設けられるＵＳＢインターフェースであることが好ましい。
【００３１】
図７は、本発明の実施例によるインターフェースを備えた装置の好適な構造を示す図の６であり、図７に示すように、物理インターフェース１４は、その両側それぞれに少なくとも２つずつ設けられたそれぞれ両側に延びるピンにより、モバイル端末のＰＣＢ板７２上に接続され、物理インターフェース１４の厚みがＰＣＢ板７２と発光部１６との厚みの総和以上であり、物理インターフェース１４の両側それぞれにおける少なくとも２つのピンの間には、それぞれ発光部１６が設けられている。
【００３２】
以下、好適な実施例、並びに図８、図９および図１０を結合しながら本実施例を説明する。以下の好適な実施例において携帯電話を例として説明し、物理インターフェースがＵＳＢインターフェースにおけるＵＳＢメスポートである。
【００３３】
この好適な実施例により、透明な光透過性材質付きの携帯電話ケースと、ＵＳＢメスポートと、ＬＥＤおよび制御モジュールと、を含む携帯電話におけるＵＳＢインターフェースの案内装置が提供される。
【００３４】
ＬＥＤおよび制御モジュールは、１つまたは複数のＬＥＤと、ＬＥＤスイッチ制御回路とを含む。ＬＥＤは、省エネルギー、高信頼性、長寿命化、高発光効率等の特徴を有するので、現在の携帯電話において広く応用されている。ＬＥＤ制御モジュールは、主として、ＬＥＤのオン／オフ動作、およびソフトウェアによる呼び出しのための駆動インターフェースの提供を実現し、図８に示すように、ＬＥＤ制御モジュールの実現方式はプラットフォームごとに異なるが、その原理が類似し、かつ簡単であるため、本図面においてＬＥＤの制御概略のみが説明される。
【００３５】
市販されている携帯電話ケースは、一般、非透明材質であり、上記発光ダイオードからの光がユーザに見えるように、本発明がケースにおけるＵＳＢインターフェースに位置するように設計され、ＵＳＢインターフェースをリング状透明材質で囲み、透明材質は、携帯電話の構造およびケースの強度に影響を与えないように幅が形成されること、および上記ＬＥＤの光線と相まって良好な視認度を達成することが望ましく、そして、ユーザが外しやすいために、透明材質を、図９に示すように、携帯電話ケースと一体化した方がよい。
【００３６】
ＵＳＢメスポートは、携帯電話におけるＵＳＢインターフェースであり、その方向がケースにおける透明材質に囲まれた切り口の方向と一致している。ＵＳＢインターフェースがＰＣＢ板よりもはるかに厚い場合、ＵＳＢインターフェースの両側には、光の散乱を可能にする空間が確保される。それゆえ、２つのＬＥＤをＵＳＢインターフェースの両側に配置することは、携帯電話の構造に影響を与えることはない。ＬＥＤとＵＳＢインターフェースとを図１０に示すように配置しており、説明した技術的内容をより良く理解させるためにこのような配置位置関係がなされているが、それらを制限するつもりは一切ない。
【００３７】
光線不足の場所でユーザに対してＵＳＢ充電器の位置を案内し、具体的なシーンにおいて点灯させることができ、これにより、ユーザがＵＳＢインターフェースの位置と方向を視認しやすくなり、ユーザの充電操作が便利になる。
【００３８】
以下、好適な実施例を結合しながら具体的な応用場面について説明する。
【００３９】
当業者に理解してもらうために、以下、図８、図９および図１０並びに具体的な実施例を結合しながら本発明をさらに詳しく説明する。ここで説明する具体的な実施例は、あくまでもこの好適な実施例を説明するためのものであり、本発明を限定することは意図しないことが指摘されるべきである。
【００４０】
図８、図９、および図１０に示すように、この好適な実施例に係る携帯電話におけるＵＳＢ充電ジャックの案内装置は、ＬＥＤ８１と、ＬＥＤのスイッチ制御モジュール８２と、携帯電話ケース８３（上記ケース１２に相当）と、ＵＳＢインターフェースを囲む透明材質８４と、ＵＳＢインターフェース８５と、ＰＣＢ板７２とを含む。
【００４１】
図８に示すように、ＬＥＤ制御モジュール８２はＬＥＤ８１のオン／オフ操作用のインターフェースを提供し、この技術の実現方式が成熟なものであるため、ここではその説明を省略するが、以下の場面でのオン／オフ操作がある。
【００４２】
シーン１：電源オフの状態において、ユーザが充電したいだけで、電源を入れるつもりはなく、或いは電池の電量不足で電源を入れることができない場合、ユーザが、電源ボタンまたは他のボタン（例えば音量側のボタン）を短く押すことでＬＥＤ８１をオンにする必要があり、ここでのボタン操作を、電源を入れる場合の長押し操作と異ならせる必要がある。
【００４３】
シーン２：電源オンの状態において、ユーザが、画面を点灯させ、ロック解除を待つ状態に移行させ、この時、既存の光線センサを用いて携帯電話の置かれる環境下での明るさを検出することができ、所定の閾値よりも低い場合、ＬＥＤ８１を点灯させ、ユーザに対してＵＳＢインターフェース８５の位置を案内し、ユーザが画面のロックを解除した後にＬＥＤ８１をオフにする。また、明るさが所定の閾値よりも高い場合、ＬＥＤ８１が点灯することはなく、省電力を図るとともに、良好なユーザ体験を実現する。
【００４４】
ここで、あくまでもソフトウェアでＬＥＤを操作する場面を例示したが、ＬＥＤ８１をオンにする方式として、定周期で点灯させたり点滅させたり等してもよく、また、電源オフの状態においても電源オンの状態においてもＬＥＤ８１を操作できるように、場面１と場面２をそれぞれ汎用のブートローダプログラム（Ｕｂｏｏｔ）とソフトウェアバージョンで実現することができ、これらの場面についても何らの制限もなされていないため、類似した場面やソフトウェアでの実現方式により、ＬＥＤ８１への操作によるＵＳＢインターフェース８５の照明または類似した機能を達成することは、すべて本発明の保護範囲内のものである。
【００４５】
図９に示すように、本発明による装置は、ＵＳＢインターフェース８５を囲む透明材質８４付きの携帯電話ケース８３を含み、普通の携帯電話ケースとは異なり、本装置の携帯電話ケース８３と透明材質８４とで簡単に脱着可能な一体化したケースを形成し、そして、透明材質８４の形状と方向がＵＳＢインターフェース８５と一致する必要があり、透明材質は、携帯電話の構造およびケースの強度に影響を与えないように幅が形成されることが望ましく、上記ＬＥＤ８１からの光線と相まって良好な視認度を達成するように構成されるべきである。
【００４６】
図１０に示すように、ＵＳＢインターフェース８５はＰＣＢ板７２上に溶接されるものであり、ＵＳＢインターフェース８５の厚みがＰＣＢ板７２よりもはるかに大きいため、ＰＣＢ板７２の上方にある他の携帯電話部材、例えば、表示パネルとＰＣＢ板７２との間に若干の空間が介在することになり、ＬＥＤ８１からの光線の散乱を可能にする。ここで、ＬＥＤ８１をＵＳＢインターフェース８５の左右における２つのピンの間に配置するように設計することにより、構造設計に影響を与えずに携帯電話の側面のエッジに最大限に接近させることができる。事実上、同様なまたは類似した原理によりＬＥＤ８１をＵＳＢインターフェース８５の周辺に配置することで、同様なまたは類似した機能を達成することを目的とするものは、いずれも本発明の保護範囲内のものである。
【産業上の利用可能性】
【００４７】
本発明の実施例に係る装置によれば、装置が暗い環境に置かれる場合、前記装置における発光部１６が発光することになり、これにより、光線条件が暗い状況下で、ユーザが発光部１６からの光線に案内されて、物理インターフェース１４の位置を簡便かつ素早く見つけることができ、従来の関連技術において、暗い状況下で、物理インターフェースの位置を正確に見つけにくいとの問題を解決し、ユーザの操作体験効果を向上させている。
【００４８】
上述したように、以上は、本発明の好適な実施例に過ぎず、そしてＬＥＤを操作することでユーザに対してＵＳＢインターフェースの位置を案内する場面や方式を例示したが、これをもって本発明の特許請求の範囲を限定することができないのは、言うまでもないことである。また、当業者であれば、本発明に様々な変更や変形が可能であることが指摘されるべきである。本発明の思想や原則内の如何なる修正、均等の置き換え、改良なども、本発明の保護範囲内に含まれるべきである。
【図２】
2017503374.tif 000003
【図３】
2017503374.tif 000004
【図４】
2017503374.tif 000005
【図５】
2017503374.tif 000006
【図６】
2017503374.tif 000007
【図７】
2017503374.tif 000008
【図８】
2017503374.tif 000009
【図９】
2017503374.tif 000010
【図１０】
2017503374.tif 000011
【図１】
2017503374.tif 000012
【国際調査報告】
2017503374.tif 000013
2017503374.tif 000014
2017503374.tif 000015
2017503374.tif 000016